(57)【特許請求の範囲】
【請求項１】
地図を表示するための地図情報を有する地図表示端末からの配信要求に応じて、前記地図情報を更新するための更新情報を配信する更新情報配信システムであって、
前記配信要求を受信する受信手段と、
前記受信手段が前記配信要求を受信する毎に、当該受信した配信要求の属性に基づいて、前記更新情報の配信が許容される確率に対応する許容率を決定する決定手段と、
前記決定手段が決定する前記許容率に基づいて、前記更新情報を配信する配信手段と、を備え、
前記許容率は、前記更新情報の配信が許容されるか否かの指標であり、
前記配信要求の属性は、前記地図情報における配信を要求する領域である配信要求領域の場所を特定する配信要求領域場所特定情報、前記地図表示端末におけるユーザの自宅の場所を特定する自宅場所特定情報、前記地図表示端末の現在地の場所を特定する現在地場所特定情報、前記地図表示端末の目的地の場所を特定する目的地場所特定情報、又は、前記自宅の場所及び前記目的地の場所の中間点の場所を特定する中間点場所特定情報のうちの、少なくとも１つの特定情報を、含み、
前記決定手段は、前記許容率を特定する情報である許容率特定情報が格納されている格納手段において前記少なくとも１つの特定情報に対応する前記許容率を特定することにより決定し、
前記配信手段は、前記決定手段が決定する前記許容率に基づく乱数値と、前記地図表示端末を一意に識別するための識別情報とに基づいて、前記更新情報を配信する、
更新情報配信システム。
【請求項２】
前記配信要求の属性は、前記配信要求が行われた曜日を特定する曜日特定情報、又は、前記配信要求が行われた時間を特定する時間特定情報のうちの、少なくとも１つの特定情報を、更に含み、
前記決定手段は、前記曜日特定情報又は前記時間特定情報に基づいて、前記許容率を決定する、
請求項１に記載の更新情報配信システム。
【請求項３】
地図を表示するための地図情報を有する地図表示端末からの配信要求に応じて、前記地図情報を更新するための更新情報を配信する更新情報配信方法であって、
受信手段が、前記配信要求を受信する受信ステップと、
決定手段が、前記受信手段が前記配信要求を受信する毎に、当該受信した配信要求の属性に基づいて、前記更新情報の配信が許容される確率に対応する許容率を決定する決定ステップと、
配信手段が、前記決定ステップが決定する前記許容率に基づいて、前記更新情報を配信する配信ステップと、を含み、
前記許容率は、前記更新情報の配信が許容されるか否かの指標であり、
前記配信要求の属性は、前記地図情報における配信を要求する領域である配信要求領域の場所を特定する配信要求領域場所特定情報、前記地図表示端末におけるユーザの自宅の場所を特定する自宅場所特定情報、前記地図表示端末の現在地の場所を特定する現在地場所特定情報、前記地図表示端末の目的地の場所を特定する目的地場所特定情報、又は、前記自宅の場所及び前記目的地の場所の中間点の場所を特定する中間点場所特定情報のうちの、少なくとも１つの特定情報を、含み、
前記決定手段は、前記許容率を特定する情報である許容率特定情報が格納されている格納手段において前記少なくとも１つの特定情報に対応する前記許容率を特定することにより決定し、
前記配信手段は、前記決定手段が決定する前記許容率に基づく乱数値と、前記地図表示端末を一意に識別するための識別情報とに基づいて、前記更新情報を配信する、
更新情報配信方法。
【請求項４】
地図を表示するための地図情報を有する地図表示端末からの配信要求に応じて、前記地図情報を更新するための更新情報を配信する更新情報配信プログラムであって、
コンピュータを、
前記配信要求を受信する受信手段と、
前記受信手段が前記配信要求を受信する毎に、当該受信した配信要求の属性に基づいて、前記更新情報の配信が許容される確率に対応する許容率を決定する決定手段と、
前記決定手段が決定する前記許容率に基づいて、前記更新情報を配信する配信手段と、として機能させ、
前記許容率は、前記更新情報の配信が許容されるか否かの指標であり、
前記配信要求の属性は、前記地図情報における配信を要求する領域である配信要求領域の場所を特定する配信要求領域場所特定情報、前記地図表示端末におけるユーザの自宅の場所を特定する自宅場所特定情報、前記地図表示端末の現在地の場所を特定する現在地場所特定情報、前記地図表示端末の目的地の場所を特定する目的地場所特定情報、又は、前記自宅の場所及び前記目的地の場所の中間点の場所を特定する中間点場所特定情報のうちの、少なくとも１つの特定情報を、含み、
前記決定手段は、前記許容率を特定する情報である許容率特定情報が格納されている格納手段において前記少なくとも１つの特定情報に対応する前記許容率を特定することにより決定し、
前記配信手段は、前記決定手段が決定する前記許容率に基づく乱数値と、前記地図表示端末を一意に識別するための識別情報とに基づいて、前記更新情報を配信する、
更新情報配信プログラム。
【発明の詳細な説明】
【技術分野】
【０００１】
本発明は、更新情報配信システム、更新情報配信方法、及び更新情報配信プログラムに関する。
【背景技術】
【０００２】
従来、複数の地図表示端末の地図情報を更新するための技術として、地図情報を更新するための更新情報を配信する地図配信サーバをセンター側に設けて、当該地図配信サーバから各地図表示端末に対して更新情報を配信する技術（例えば、特許文献１参照）が知られていた。
【０００３】
しかしながら、この技術におけるセンター側の地図配信サーバは、各地図表示端末からの配信要求を受信する毎に、受信した配信要求に応じた更新情報を生成して配信していたので、例えば、複数の配信要求が集中した場合、更新情報を生成するための地図配信サーバの処理負荷が増大してしまい、処理遅延が発生して、当該処理遅延に起因するエラーが多数発生してしまう可能性があった。
【０００４】
そこで、エラーの発生原因である地図配信サーバの処理負荷を軽減するために、一部の配信要求に対しては、更新情報の生成及び配信を行わないアクセス制限を、当該処理負荷の量に応じて一律に行って、更新情報を生成するための地図配信サーバの処理負荷を軽減する技術が提案されている。
【先行技術文献】
【特許文献】
【０００５】
【特許文献１】特開２０１０−２１０４３３号公報
【発明の概要】
【発明が解決しようとする課題】
【０００６】
しかしながら、前述の更新情報を生成するための地図配信サーバの処理負荷を軽減する技術においては、各地図表示端末に対して一律にアクセス制限を行っていたので、各地図表示端末の地図情報を更新する個別的なニーズに応えるのが困難であった。
【０００７】
本発明は、上記に鑑みてなされたものであって、各地図表示端末の更新ニーズに応じて適切に更新情報を配信することが可能になる、更新情報配信システム、更新情報配信方法、及び更新情報配信プログラムを提供することを目的とする。
【課題を解決するための手段】
【０００８】
上述した課題を解決し、目的を達成するために、本発明に係る更新情報配信システムは、地図を表示するための地図情報を有する地図表示端末からの配信要求に応じて、前記地図情報を更新するための更新情報を配信する更新情報配信システムであって、前記配信要求を受信する受信手段と、前記受信手段が前記配信要求を受信する毎に、当該受信した配信要求の属性に基づいて、前記更新情報の配信が許容される確率に対応する許容率を決定する決定手段と、前記決定手段が決定する前記許容率に基づいて、前記更新情報を配信する配信手段と、を備え、前記許容率は、前記更新情報の配信が許容されるか否かの指標であり、前記配信要求の属性は、前記地図情報における配信を要求する領域である配信要求領域の場所を特定する配信要求領域場所特定情報、前記地図表示端末におけるユーザの自宅の場所を特定する自宅場所特定情報、前記地図表示端末の現在地の場所を特定する現在地場所特定情報、前記地図表示端末の目的地の場所を特定する目的地場所特定情報、又は、前記自宅の場所及び前記目的地の場所の中間点の場所を特定する中間点場所特定情報のうちの、少なくとも１つの特定情報を、含み、前記決定手段は、前記許容率を特定する情報である許容率特定情報が格納されている格納手段において前記少なくとも１つの特定情報に対応する前記許容率を特定することにより決定し、前記配信手段は、前記決定手段が決定する前記許容率に基づく乱数値と、前記地図表示端末を一意に識別するための識別情報とに基づいて、前記更新情報を配信する。
【０００９】
また、本発明に係る更新情報配信方法は、地図を表示するための地図情報を有する地図表示端末からの配信要求に応じて、前記地図情報を更新するための更新情報を配信する更新情報配信方法であって、受信手段が、前記配信要求を受信する受信ステップと、決定手段が、前記受信手段が前記配信要求を受信する毎に、当該受信した配信要求の属性に基づいて、前記更新情報の配信が許容される確率に対応する許容率を決定する決定ステップと、配信手段が、前記決定ステップが決定する前記許容率に基づいて、前記更新情報を配信する配信ステップと、を含み、前記許容率は、前記更新情報の配信が許容されるか否かの指標であり、前記配信要求の属性は、前記地図情報における配信を要求する領域である配信要求領域の場所を特定する配信要求領域場所特定情報、前記地図表示端末におけるユーザの自宅の場所を特定する自宅場所特定情報、前記地図表示端末の現在地の場所を特定する現在地場所特定情報、前記地図表示端末の目的地の場所を特定する目的地場所特定情報、又は、前記自宅の場所及び前記目的地の場所の中間点の場所を特定する中間点場所特定情報のうちの、少なくとも１つの特定情報を、含み、前記決定手段は、前記許容率を特定する情報である許容率特定情報が格納されている格納手段において前記少なくとも１つの特定情報に対応する前記許容率を特定することにより決定し、前記配信手段は、前記決定手段が決定する前記許容率に基づく乱数値と、前記地図表示端末を一意に識別するための識別情報とに基づいて、前記更新情報を配信する。
【００１０】
また、本発明に係る更新情報配信プログラムは、地図を表示するための地図情報を有する地図表示端末からの配信要求に応じて、前記地図情報を更新するための更新情報を配信する更新情報配信プログラムであって、コンピュータを、前記配信要求を受信する受信手段と、前記受信手段が前記配信要求を受信する毎に、当該受信した配信要求の属性に基づいて、前記更新情報の配信が許容される確率に対応する許容率を決定する決定手段と、前記決定手段が決定する前記許容率に基づいて、前記更新情報を配信する配信手段と、として機能させ、前記許容率は、前記更新情報の配信が許容されるか否かの指標であり、前記配信要求の属性は、前記地図情報における配信を要求する領域である配信要求領域の場所を特定する配信要求領域場所特定情報、前記地図表示端末におけるユーザの自宅の場所を特定する自宅場所特定情報、前記地図表示端末の現在地の場所を特定する現在地場所特定情報、前記地図表示端末の目的地の場所を特定する目的地場所特定情報、又は、前記自宅の場所及び前記目的地の場所の中間点の場所を特定する中間点場所特定情報のうちの、少なくとも１つの特定情報を、含み、前記決定手段は、前記許容率を特定する情報である許容率特定情報が格納されている格納手段において前記少なくとも１つの特定情報に対応する前記許容率を特定することにより決定し、前記配信手段は、前記決定手段が決定する前記許容率に基づく乱数値と、前記地図表示端末を一意に識別するための識別情報とに基づいて、前記更新情報を配信する。
【発明の効果】
【００１１】
本発明に係る更新情報配信システム、更新情報配信方法、及び更新情報配信プログラムによれば、受信手段が配信要求を受信する毎に、受信手段が受信した配信要求の属性に基づいて、更新情報の配信が許容される確率に対応する許容率を決定することから、例えば、各地図表示端末における個別の事情を許容率に反映することができ、更新のための負荷を低減させつつ、各地図表示端末の更新ニーズに応じて適切に更新情報を配信することができる。
また、地図情報における配信を要求する領域である配信要求領域の場所を特定する配信要求領域場所特定情報、地図表示端末におけるユーザの自宅の場所を特定する自宅場所特定情報、地図表示端末の現在地の場所を特定する現在地場所特定情報、地図表示端末の目的地の場所を特定する目的地場所特定情報、又は、自宅の場所及び目的地の中間点の場所を特定する中間点場所特定情報のうちの、少なくとも１つの特定情報に基づいて、許容率を決定することから、例えば、配信要求領域の場所、地図表示端末におけるユーザの自宅の場所、地図表示端末の現在地の場所、目的地の場所、又は、中間点の場所に基づいて、更新の必要性に対応する許容率を決定することができ、更新のための負荷の低減、及び更新ニーズに沿った更新情報の配信を行うことができる。
【図面の簡単な説明】
【００１２】
【図１】本発明の各実施の形態に係る更新情報配信システムを例示するブロック図である。
【図２】実施の形態１の許容率特定情報を例示した図である。
【図３】配信処理のフローチャートである。
【図４】配信判定処理のフローチャートである。
【図５】実施の形態２の許容率特定情報を例示した図である。
【図６】実施の形態３の許容率特定情報を例示した図である。
【図７】実施の形態４の許容率特定情報を例示した図である。
【図８】実施の形態５の許容率特定情報を例示した図である。
【図９】実施の形態６の許容率特定情報を例示した図である。
【発明を実施するための形態】
【００１３】
以下、本発明に係る更新情報配信システム、更新情報配信方法、及び更新情報配信プログラムの各実施の形態について図面を参照しつつ詳細に説明する。ただし、各実施の形態によって本発明が限定されるものではない。
【００１４】
本発明に係る更新情報配信システムは、地図表示端末からの配信要求を受信する毎に、受信した配信要求の属性に基づいて、更新情報の配信が許容される確率に対応する許容率を決定し、決定した許容率に基づいて、更新情報を配信するシステムである。
【００１５】
ここで、「地図表示端末」とは、地図情報に基づいて地図を表示する表示手段であり、更新情報を配信する配信手段に対して有線又は無線にて接続される機器であって、具体的には、車載装置、又は端末装置が挙げられる。「車載装置」とは、車両に搭載される装置であり、具体的には、車載用ナビゲーション装置等を含む概念ある。また、「端末装置」とは、所定のコンピュータを搭載した装置であり、具体的には、据え置き型のコンピュータ装置、スマートフォン、又は携帯用ナビゲーション装置等を含む概念である。
【００１６】
また、「配信要求」とは、更新情報の配信を要求することであり、具体的には、更新情報の配信のための処理において使用される情報を含んでいる要求であり、例えば、地図情報における配信を要求する領域である配信要求領域の場所を特定する配信要求領域場所特定情報、地図表示端末におけるユーザの自宅の場所を特定する自宅場所特定情報、地図表示端末の現在地の場所を特定する現在地場所特定情報、地図表示端末の目的地の場所を特定する目的地場所特定情報、又は地図表示端末の現在地の場所及び目的地の場所の中間点の場所を特定する中間点場所特定情報のうちの少なくとも１つの特定情報と、地図表示端末を一意に識別するための識別情報「以下、装置ＩＤ」と、地図表示端末に格納されている地図情報のバージョンを特定するためのバージョン特定情報とを含む情報である。また、「配信要求の属性」とは、配信要求の特徴又は性質であり、具体的には、許容率を決定するのに用いられる情報であり、例えば、配信要求に含まれる各特定情報に加えて、配信要求が行われた曜日を特定する曜日特定情報、又は、配信要求が行われた時間を特定する時間特定情報のうちの少なくとも１つの情報を含む概念である。
【００１７】
また、「許容率」とは、更新情報の配信が許容される確率に対応する蓋然性であり、具体的には、更新情報の配信が許容される確実さの度合であり、例えば、百分率（つまり、パーセント）にて示される比率である。
【００１８】
そして、以下に示す各実施の形態においては、「地図表示端末」が「車載装置」である場合において、許容率を決定するための「配信要求の属性」として、以下に示す各特定情報を用いる場合について説明する。「配信要求の属性」として具体的には、実施の形態１では、配信要求領域場所特定情報を用いる場合について説明し、実施の形態２では、自宅場所特定情報及び目的地場所特定情報を用いる場合について説明し、実施の形態３では、配信要求領域場所特定情報及び自宅場所特定情報を用いる場合について説明し、実施の形態４では、配信要求領域場所特定情報及び目的地場所特定情報を用いる場合について説明し、実施の形態５では、配信要求領域場所特定情報及び中間点場所特定情報を用いる場合について説明し、実施の形態６では、配信要求領域場所特定情報、曜日特定情報、及び時間特定情報を用いる場合について説明し、変形例において、実施の形態１〜６以外の場合について説明する。なお、以下では、車載装置を搭載した車両（車載装置を操作する者が搭乗する車両）を「自車両」と称して説明する。また、「自車両」とは、例えば、四輪自動車、二輪自動車、及び自転車等を含む概念であるが、以下では、自車両が四輪自動車である場合について説明する。
【００１９】
（実施の形態１）
初めに、実施の形態１について説明する。この実施の形態においては、「配信要求領域場所特定情報」を用いて許容率を決定する場合について説明する。
【００２０】
（構成）
まず、本実施の形態に係る更新情報配信システム１００について説明する。この更新情報配信システム１００は、車載装置１、受信サーバ２、差分地図計算サーバ３、地図情報データベースサーバ４（以下、データベースを「ＤＢ」と称する）、及びファイルサーバ５を備えている。図１は、本発明の各実施の形態に係る更新情報配信システムを例示するブロック図である。なお、更新情報配信システム１００には、実際には、車載装置１以外にも、この車載装置１と同様な構成の他の車載装置が複数含まれているが、ここでは、説明の便宜上、車載装置１のみを図１において示し、車載装置１及び複数の他の車載装置を総称する場合には、「更新情報配信システム１００の車載装置」と称して、以下説明する。
【００２１】
（構成−車載装置）
最初に、車載装置１の構成について説明する。図１に示すように、車載装置１は、概略的に、通信部１１、タッチパネル１２、ディスプレイ１３、スピーカ１４、現在位置検出部１５、データ記録部１６、及び制御部１７を備えている。
【００２２】
（構成−車載装置−通信部）
通信部１１は、受信サーバ２との間でネットワークを介した通信を行う通信手段である。この通信部１１の具体的な種類や構成は任意であるが、例えば、公知の移動体無線通信手段を用いることができる。
【００２３】
（構成−車載装置−タッチパネル）
タッチパネル１２は、ユーザの指等で押圧されることにより、当該ユーザから各種操作入力を受け付ける操作手段である。このタッチパネル１２は、透明又は半透明状に形成され、ディスプレイ１３の前面において当該ディスプレイ１３の表示面と重畳するように設けられている。このタッチパネル１２としては、例えば、抵抗膜方式や静電容量方式等による操作位置検出手段を備えた公知のタッチパネルを用いることができる。
【００２４】
（構成−車載装置−ディスプレイ）
ディスプレイ１３は、後述する制御部１７の制御に基づいて各種の画像を表示する表示手段であり、特に、後述する地図情報ＤＢ１６１に格納された地図情報に基づいて地図を表示する表示手段である。このディスプレイ１３の具体的な構成は任意であり、例えば、公知の液晶ディスプレイや有機ＥＬディスプレイの如きフラットパネルディスプレイ等を用いることができる。
【００２５】
（構成−車載装置−スピーカ）
スピーカ１４は、後述する制御部１７の制御に基づいて情報を音声にて出力する音声出力手段である。このスピーカ１４から出力される音声の具体的な態様は任意であり、必要に応じて生成された合成音声や、予め録音された音声を出力することができる。
【００２６】
（構成−車載装置−現在位置検出部）
現在位置検出部１５は、車載装置１の現在位置（現在地）を検出する現在位置検出手段である。この現在位置検出部１５は、ＧＰＳ又は地磁気センサ（いずれも図示省略）を有し、現在の車載装置１の位置（座標）及び方位等を公知の方法にて検出する。
【００２７】
（構成−車載装置−データ記録部）
データ記録部１６は、車載装置１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる（各実施の形態における各装置のデータ記録部も同様とする）。
【００２８】
また、このデータ記録部１６は、地図情報ＤＢ１６１を備えている。
【００２９】
地図情報ＤＢ１６１は、地図情報を格納する地図情報格納手段である。ここで、「地図情報」とは、案内に用いられる情報であり、道路、道路の交差点、道路構造物、施設等を含む各種の位置の特定に必要な情報であって、例えば、道路上に設定された各ノードに関するノードデータ（例えばノードＩＤ、座標等）や、道路上に設定された各リンクに関するリンクデータ（例えばリンクＩＤ、リンク名、接続ノードＩＤ、道路座標、道路種別（例えば、有料道路、一般道路、高架道路等）、車線数等）、地物データ（例えば信号機、道路標識、ガードレール、施設等）、地形データ等を含んで構成されている。このような地図情報ＤＢ１６１の地図情報は、後述する配信処理において更新される。
【００３０】
（構成−車載装置−制御部）
制御部１７は、車載装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係る更新情報配信プログラムは、任意の記録媒体又はネットワークを介して車載装置１にインストールされることで、制御部１７の各部を実質的に構成する（各実施の形態における受信サーバを含む各装置の制御部も同様とする）。ここでは、例えば、制御部１７の内部メモリに「装置ＩＤ」が格納されているものとして、以下説明する。ここで、「装置ＩＤ」とは、前述したように、更新情報配信システム１００の車載装置を一意に識別するための識別情報であって、任意の数字、文字等を用いて表すことができるが、ここでは、例えば、後述する「配信判定処理」にて使用することができるように、所定桁数（例えば、７桁等）の数値であり、更新情報配信システム１００の車載装置各々に対して、互いの数値が異なる数値になるように、例えば製造順等の所定の順序で「０」から順に、１ずつ増えるように（つまり、インクリメントされるように）設定されているものとする。そして、例えば、制御部１７の内部メモリに格納されている装置ＩＤとしての数値を、説明の便宜上、「ＩＤ１」とも称して、以下説明する。
【００３１】
（構成−受信サーバ）
次に、受信サーバ２の構成について説明する。受信サーバ２は、情報を受信する受信手段であって、センター側に設けられている装置であり、具体的には、更新情報配信システム１００の車載装置と、センター側の差分地図計算サーバ３、地図情報ＤＢサーバ４、及びファイルサーバ５との間のインターフェースとして機能するインターフェース受信サーバであり、図１に示すように、概略的に、通信部２１、データ記録部２６、及び制御部２７を備えている。
【００３２】
（構成−受信サーバ−通信部）
通信部２１は、車載装置１との間でネットワークを介した通信を行う通信手段であり、特に、配信要求を受信する受信手段であり、具体的な構成については、通信部１１の構成と同様である。
【００３３】
（構成−受信サーバ−データ記録部）
データ記録部２６は、許容率特定情報ＤＢ２６１を備えている。
【００３４】
許容率特定情報ＤＢ２６１は、許容率特定情報を格納する格納手段である。ここで、許容率特定情報ＤＢ２６１に格納されている「許容率特定情報」とは、許容率を特定する情報である。図２は、許容率特定情報を例示した図である。この図２に示すように、許容率特定情報は、項目「基準地点」、及び項目「許容率」と、各項目に対応する情報とを、相互に関連付けて構成されている。ここで、項目「基準地点」に対応する情報は、配信領域における配信場所を判断するための基準地点を特定する情報であり、本実施形態では、図１の車載装置１のユーザの自宅又は目的地である（図２では、「自宅」、「目的地」）。ここで、「配信領域」とは、地図情報によって特定される地図の一部の領域（配信要求領域）であり、任意の手法を用いて定義可能な領域であるが、本実施の形態では、例えば、「配信場所」及び「基準地点」を用いて定義するものとして、以下説明する。「配信場所」とは、地図情報によって特定される地図上の場所であり、具体的には、配信領域の基準となる場所であり、例えば、配信領域における中心点の場所であり、タッチパネル１２を介してユーザの所定操作が受け付けられることで登録される。また、「基準地点」とは、地図情報によって特定される地図上の地点であり、具体的には、配信場所の基準となる地点であり、例えば、配信場所の周辺の目印となる地点であり、タッチパネル１２を介してユーザの所定操作が受け付けられることで登録される。ここでは、例えば、「配信場所」が経度及び緯度の座標であり、「基準地点」が車載装置１のユーザの自宅又は目的地であるものとして、以下説明する。「自宅」とは、車載装置１のユーザ自身の家であり、また、「目的地」とは、自車両の移動の目的となる地点であり、これらの「自宅」及び「目的地」は、例えば、図１の受信サーバ２における不図示の入力手段を介してユーザの所定操作が受け付けられることで登録される。また、項目「許容率」に対応する情報は、許容率を特定する情報である（図２では、百分率表記であり、「５」、「１０」）。
【００３５】
そして、差分更新情報を生成及び配信する処理（以下、差分更新情報の処理）が、更新情報配信システム１００の処理能力の範囲内にて行われ、且つ、差分更新情報の処理が、地図情報の更新のニーズに応じた優先度に従って行われるように、前述の許容率特定情報が決定されて、図１の受信サーバ２における不図示の入力手段を介してユーザの所定操作が受け付けられることで、決定された許容率特定情報が記録される（実施の形態１以外の各実施の形態及び変形例についても同様とする）。なお、「差分更新情報」とは、地図情報を更新するための情報であり、具体的には、更新情報配信システム１００の車載装置からの配信要求に応じて生成される情報であり、例えば、受信した配信要求に対応する地図情報を含んでいる情報である。また、「更新情報配信システム１００の処理能力」とは、更新情報配信システム１００の能力であり、具体的には、差分更新情報を生成及び配信するための能力であって、例えば、後述の差分地図計算サーバ３が、差分更新情報の処理を同時間（例えば、同時、又は１時間等）に遅延なく適切に行える最多件数（以下、処理最多件数）、及び受信サーバ２と更新情報配信システム１００の車載装置との間の通信容量（以下、処理最大通信容量）に対応する能力である。また、「地図情報の更新のニーズ」とは、地図情報を更新する必要性の度合いであり、任意に定めることができるが、本実施の形態では、例えば、基準地点が「自宅」である場合には、ユーザが実際の地図上の情報を熟知している可能性が高いという観点から、基準地点が「自宅」である場合に比べて、当該ニーズは低いものと定めることができる。また、「優先度」とは、優先される度合いであり、具体的には、「地図情報の更新のニーズ」に従って定められる度合いであり、例えば、「地図情報の更新のニーズ」が高いほど、高く定められるものである。ここでは、例えば、図２の項目「許容率」に対応する値については、地図情報の更新のニーズ（つまり、優先度）が高いほど大きな値となり、且つ、差分更新情報を生成及び配信する場合に、処理最多件数を超える件数の差分更新情報の処理を行うことを求められず、及び、受信サーバ２と更新情報配信システム１００の車載装置との間において、処理最大通信容量を超える量の通信を行うことを求められないように、シミュレーション等を行って決定した上で、ユーザが図１の受信サーバ２における不図示の入力手段を介して入力することにより記録されるものとして、以下説明する。
【００３６】
（構成−受信サーバ−制御部）
図１に戻って、制御部２７は、機能概念的に、決定部２７１、及び配信部２７２を備えている。決定部２７１は、通信部２１が配信要求を受信する毎に、当該受信した配信要求の属性に基づいて、差分更新情報の配信が許容される確率に対応する許容率を決定する決定手段である。また、配信部２７２は、決定部２７１が決定する許容率に基づいて、差分更新情報を配信する配信手段である。なお、これら制御部２７の各部により行われる処理については、後述する。
【００３７】
（構成−差分地図計算サーバ）
次に、差分地図計算サーバ３の構成について説明する。差分地図計算サーバ３は、差分更新情報を生成する生成手段であって、センター側に設けられている装置である。
【００３８】
（構成−地図情報ＤＢサーバ）
次に、地図情報ＤＢサーバ４の構成について説明する。地図情報ＤＢサーバ４は、地図情報を格納する地図情報格納手段である。ここで、この地図情報ＤＢサーバ４に格納されている「地図情報」とは、案内に用いられる情報であり、更新情報配信システム１００の車載装置に格納されている地図情報に含まれている情報（例えば、ノードデータ、リンクデータ、地物データ、及び地形データ等）に対応する情報が含まれている情報である。そして、地図情報ＤＢサーバ４には、地図に関する最新の情報（例えば、道路の撤廃又は新設の情報等）に基づいて所定期間（例えば、１日、１週間等）毎に生成された地図情報が、順次提供されて蓄積されている。つまり、この地図情報ＤＢサーバ４には、地図上の各領域について、最新バージョンの地図情報と共に、過去の各バージョンの地図情報も格納されている。ここでは、例えば、地図情報の「バージョン」については、「バージョン１〜４」が設けられており、「バージョン１」が最も古く、「バージョン２」が「バージョン１」の次に古く、「バージョン３」が「バージョン２」の次に古く、「バージョン４」が最新であるものとして、以下説明する。
【００３９】
（構成−ファイルサーバ）
次に、ファイルサーバ５の構成について説明する。ファイルサーバ５は、差分更新情報を格納する格納手段であって、センター側に設けられている装置である。
【００４０】
（処理）
次に、このように構成される更新情報配信システム１００によって実行される配信処理について説明する。図３は、配信処理のフローチャートである（以下の各処理の説明ではステップを「Ｓ」と略記する）。「配信処理」とは、配信する処理であり、具体的には、差分更新情報を配信する処理である。この配信処理を実行するタイミングは任意のタイミングであるが、例えば、更新情報配信システム１００の電源が投入された場合に起動されるものとして、当該処理が起動したところから説明する。ここでは、例えば、図１の車載装置１の地図情報のバージョンが「バージョン２」である場合において、車載装置１が、自己の装置ＩＤ（つまり、制御部１７の内部メモリに格納されている装置ＩＤ）である「ＩＤ１」、及び「バージョン特定情報」＝「バージョン２」と共に、「「基準地点」＝「自宅」、「配信場所」＝「３４度５６分４０秒、１３７度１１分５０秒」、「配信領域」＝「配信場所を中心とする１０キロメートルの正方形に囲まれた領域」」を含んでいる「配信要求領域場所特定情報」を含む配信要求（以下、例示の配信要求）を生成し、生成した配信要求を送信する例を適宜用いて説明する。
【００４１】
まず、図３に示すように、ＳＡ１において車載装置１の制御部１７は、配信要求を生成して送信する。具体的には、通信部１１を介して送信する。ここでは、例えば、例示の配信要求を生成して送信する。
【００４２】
次に、ＳＡ２において受信サーバ２の制御部２７は、ＳＡ１で送信された配信要求を、通信部２１を介して受信して、配信判定処理を起動する。図４は、配信判定処理のフローチャートである。この「配信判定処理」とは、差分更新情報を配信するか否かを判定する処理である。具体的な判定手法については、許容率を用いて行う手法であり、且つ、許容率が高い程、「配信するもの」と判定され易くなる手法であれば任意の手法を用いることができるが、ここでは、例えば、前述の装置ＩＤとしての数値の下２桁の値を、許容率と共に用いて判定する手法を用いるものとして、以下説明する。
【００４３】
まず、図４に示すように、ＳＢ１において受信サーバ２の制御部２７における決定部２７１は、許容率を決定する。具体的には、受信した配信要求の属性、及び図２の許容率特定情報に基づいて、許容率を決定する。更に具体的には、受信した配信要求の属性として、当該配信要求の「配信要求領域場所特定情報」における「基準地点」を取得し、許容率特定情報の項目「許容率」に対応する情報において、前述の取得した「基準地点」に対応する情報を特定し、特定した情報を許容率に決定する。ここでは、例えば、例示の配信要求を受信した場合、受信した例示の配信要求の属性として、「基準地点」＝「自宅」、を取得し、この取得した「自宅」に対応する情報として、許容率特定情報の項目「許容率」＝「５」を特定し、特定した「５」を許容率に決定する。
【００４４】
次に、ＳＢ２において受信サーバ２の制御部２７における配信部２７２は、乱数上限値を決定する。ここで、「乱数上限値」とは、比較対象乱数値の上限値である。また、「比較対象乱数値」とは、前述の装置ＩＤとしての数値の下２桁（以下、装置ＩＤの下２桁）の値に基づく演算値（具体的には、後述する「比較剰余値」）と比較される２桁の数値からのなる値であり、一の位の数値及び十の位の数値が乱数にて設定される値である。具体的には、ＳＢ１で決定した許容率に基づいて、許容率の値が大きい程、乱数上限値が小さくなるように、乱数上限値を決定する。ここでは、例えば、「１００÷「ＳＢ１で決定した許容率」」）の演算を行った上で、演算結果の小数点以下第一位を四捨五入した結果である整数値を、乱数上限値に決定する。なお、「ＳＢ１で決定した許容率」の値が小さいために、演算結果の整数値が３桁以上の数値になる場合、「９９」を乱数上限値に決定する。また、「ＳＢ１で決定した許容率」の値が大きいために、演算結果の整数値が「０」になる場合、後述のＳＢ５の除算における除数とし用いることができるように、「１」を乱数上限値に決定する。ここでは、例えば、例示の配信要求を受信した場合、「１００÷「５」」の演算を行って、「２０」を乱数上限値に決定する。
【００４５】
次に、ＳＢ３において受信サーバ２の制御部２７における配信部２７２は、比較対象乱数値を決定する。具体的には、ＳＢ２で決定した乱数上限値以下の比較対象乱数値を決定する。更に具体的には、一の位の数値及び十の位の数値において乱数を発生させることにより生成された値が、ＳＢ２で決定した乱数上限値以下である場合、この生成した値を比較対象乱数値に決定し、一方、一の位の数値及び十の位の数値において乱数を発生させることにより生成された値が、ＳＢ２で決定した乱数上限値より大きい場合、乱数上限値以下の値が生成されるまで、繰り返し乱数を発生させる。ここでは、例えば、例示の配信要求を受信した場合、乱数を発生させて「２０」以下の値を比較対象乱数値に決定するが、「比較対象乱数値」＝「５」を決定したものとして、以下説明する。
【００４６】
次に、ＳＢ４において受信サーバ２の制御部２７における配信部２７２は、装置ＩＤの下２桁を取得する。具体的には、図３のＳＡ２において受信した配信要求から、装置ＩＤの下２桁を取得する。ここでは、例えば、例示の配信要求を受信した場合、「ＩＤ１」を取得するが、「ＩＤ１」の下二桁が数値の「８５」であるものとして、以下説明する。
【００４７】
次に、ＳＢ５において受信サーバ２の制御部２７における配信部２７２は、比較剰余値を演算する。ここで、「比較剰余値」とは、比較対象乱数値と比較される剰余値であり、具体的には、「装置ＩＤの下２桁」を被除数とし、「乱数上限値」を除数とした除算結果の剰余の値である。具体的には、ＳＢ４で取得した「装置ＩＤの下２桁」を被除数とし、ＳＢ２で決定した「乱数上限値」を除数とした除算を行い、この除算における剰余を比較剰余値として演算する。ここでは、例えば、例示の配信要求を受信した場合、「８５÷２０」の除算を行い、この除算における剰余である「５」を比較剰余値として演算する。
【００４８】
次に、ＳＢ６において受信サーバ２の制御部２７における配信部２７２は、差分更新情報を配信するか否かを判定する。具体的には、ＳＢ３で決定した比較対象乱数値と、ＳＢ５で演算した比較剰余値とを比較して、これらの値が互いに一致しているか否かを判定する。そして、比較対象乱数値と比較剰余値とが互いに一致している場合、差分更新情報を配信するものと判定して、配信を許可することを示す許可情報を、図１の制御部２７の不図示のメモリに格納した上で、配信判定処理をリターンして図３のＳＡ３に移行する。また、比較対象乱数値と比較剰余値とが一致していない場合（つまり、比較対象乱数値と比較剰余値とが互いに異なっている場合）、差分更新情報を配信しないものと判定して、配信を制限することを示す制限情報を、図１の制御部２７の不図示のメモリに格納した上で、配信判定処理をリターンして図３のＳＡ３に移行する。ここでは、例えば、例示の配信要求を受信した場合、前述のようにＳＢ３において「比較対象乱数値」＝「５」と決定され、ＳＢ５において「比較剰余値」＝「５」と演算されたので、差分更新情報を配信するものと判定して、「許可情報」を、図１の制御部２７の不図示のメモリに格納した上で、配信判定処理をリターンする。
【００４９】
図３に戻って、ＳＡ３において受信サーバ２の制御部２７における配信部２７２は、差分更新情報を配信するか否かを判定する。具体的には、図１の制御部２７の不図示のメモリに、「許可情報」が格納されているか、「制限情報」が格納されているかに基づいて判定する。そして、許可情報が格納されている場合、差分更新情報を配信するものと判定して（図３のＳＡ３のＹＥＳ）、ＳＡ４に移行する。また、制限情報が格納されている場合、差分更新情報を配信しないものと判定して（ＳＡ３のＮＯ）、ＳＡ１６に移行する。ここでは、例えば、例示の配信要求を受信した場合、許可情報が格納されているので、差分更新情報を配信するものと判定して、ＳＡ４に移行する。
【００５０】
次に、ＳＡ４において受信サーバ２の制御部２７における配信部２７２は、差分更新情報の作成の要求である差分更新情報作成要求を生成して送信する。具体的には、ＳＡ２において受信した配信要求から「装置ＩＤ」、「バージョン特定情報」、「配信場所」、及び「配信領域」を取得して、取得したこれらの情報を含む差分更新情報作成要求を生成して、生成した差分更新情報作成要求を、差分地図計算サーバ３に送信する。ここでは、例えば、例示の配信要求を受信した場合、例示の配信要求から「装置ＩＤ」＝「ＩＤ１」、「バージョン特定情報」＝「バージョン２」、「配信場所」＝「３４度５６分４０秒、１３７度１１分５０秒」、及び「配信領域」＝「配信場所を中心とする１０キロメートルの正方形に囲まれた領域」を取得して、取得したこれらの情報を含む差分更新情報作成要求を生成して送信する。
【００５１】
次に、ＳＡ５において差分地図計算サーバ３は、ＳＡ４において送信された差分更新情報作成要求を受信して、差分地図情報の検索の要求である差分地図情報検索要求を生成して送信する。ここで、「差分地図情報」とは、差分更新情報を作成するのに用いられる情報であり、具体的には、図１の地図情報ＤＢサーバ４に格納されている地図情報に対する、更新情報配信システム１００の車載装置に格納されている地図情報の差分に対応する情報である。図３のＳＡ５において具体的には、受信した差分更新情報作成要求から「バージョン特定情報」、「配信場所」、及び「配信領域」を取得して、取得したこれらの情報を含む差分地図情報検索要求を生成して、生成した差分地図情報検索要求を、地図情報ＤＢサーバ４に送信する。ここでは、例えば、差分更新情報作成要求から「バージョン特定情報」＝「バージョン２」、「配信場所」＝「３４度５６分４０秒、１３７度１１分５０秒」、及び「配信領域」＝「配信場所を中心とする１０キロメートルの正方形に囲まれた領域」を取得して、取得したこれらの情報を含む差分地図情報検索要求を生成して送信する。
【００５２】
次に、ＳＡ６において地図情報ＤＢサーバ４は、ＳＡ５において送信された差分地図情報検索要求を受信して、差分地図情報を検索して送信する。具体的には、図１の地図情報ＤＢサーバ４に格納されている地図情報に対する、受信した差分地図情報検索要求の「バージョン特定情報」が特定するバージョンの地図情報の差分に対応する地図情報であり、且つ、受信した差分地図情報検索要求の「配信場所」及び「配信領域」によって特定される領域に対応する地図情報を、「差分地図情報」として検索し、検索した差分地図情報を差分地図計算サーバ３に送信する。ここでは、例えば、「（３４度５６分４０秒、１３７度１１分５０秒）を中心とする１０キロメートルの正方形に囲まれた領域」の地図情報であり、且つ、「バージョン３及びバージョン４」の地図情報（以下、車載装置１のため差分地図情報）を検索して送信する。
【００５３】
次に、ＳＡ７において差分地図計算サーバ３は、ＳＡ６において送信された差分地図情報を受信して、差分更新情報を格納する。具体的には、受信した差分地図情報を含む差分更新情報を生成して、生成した差分更新情報をファイルサーバ５に格納する。ここでは、例えば、車載装置１のため差分地図情報を含む差分更新情報を生成して格納する。
【００５４】
次に、ＳＡ８においてファイルサーバ５は、ＳＡ７において格納した差分更新情報の格納場所を特定する情報である格納場所特定情報を、差分地図計算サーバ３に送信する。ここでは、例えば、車載装置１のため差分地図情報を含む差分更新情報についての格納場所を特定する格納場所特定情報（以下、車載装置１のための格納場所特定情報）を送信する。
【００５５】
次に、ＳＡ９において差分地図計算サーバ３は、ＳＡ８において送信された格納場所特定情報を受信し、格納場所応答を送信する。ここで、「格納場所応答」とは、差分更新情報の格納場所についての応答であり、具体的には、格納場所特定情報及び装置ＩＤを含む応答である。ＳＡ９について具体的には、受信した「格納場所特定情報」及びＳＡ５において受信した差分更新情報作成要求に含まれている「装置ＩＤ」を含む格納場所応答を生成し、生成した格納場所応答を受信サーバ２に送信する。ここでは、例えば、「車載装置１のための格納場所特定情報」及び「ＩＤ１」を含む格納場所応答（以下、車載装置１のための格納場所応答）を生成して送信する。
【００５６】
次に、ＳＡ１０において受信サーバ２の制御部２７における配信部２７２は、ＳＡ９において送信された格納場所応答を受信し、受信した格納場所応答を、通信部２１を介して更新情報配信システム１００の車載装置に送信する。ここでは、例えば、車載装置１のための格納場所応答を送信する。
【００５７】
次に、ＳＡ１１において車載装置１の制御部１７は、差分更新情報を取得する。具体的には、ＳＡ１０において送信された格納場所応答を、通信部１１を介して受信して、受信した格納場所応答のうちの自己の装置ＩＤが含まれている格納場所応答を特定し、特定した格納場所応答の格納場所特定情報と自己の装置ＩＤとを、通信部１１を介して受信サーバ２に送信する。ここでは、例えば、「車載装置１のための格納場所特定情報」及び「ＩＤ１」を送信する。
【００５８】
次に、ＳＡ１２において受信サーバ２の制御部２７における配信部２７２は、差分更新情報を取得する。具体的には、ＳＡ１１において送信された格納場所特定情報及び装置ＩＤを、通信部２１を介して受信して、受信した格納場所特定情報を含む送信要求をファイルサーバ５に送信する。ここでは、例えば、車載装置１のための格納場所特定情報を含む送信要求を送信する。
【００５９】
次に、ＳＡ１３においてファイルサーバ５は、差分更新情報を送信する。具体的には、ＳＡ１２において送信された送信要求を受信し、受信した送信要求に含まれる格納場所特定情報を特定し、特定した格納場所特定情報が特定する場所に格納されている差分更新情報を取得し、取得した差分更新情報を受信サーバ２に送信する。ここでは、例えば、車載装置１のため差分地図情報を取得して送信する。
【００６０】
次に、ＳＡ１４において受信サーバ２の制御部２７における配信部２７２は、差分更新情報を送信する。具体的には、ＳＡ１３において送信された差分更新情報を受信して、受信した差分更新情報とＳＡ１２で受信した装置ＩＤとを関連づけて、更新情報配信システム１００の車載装置に、通信部２１を介して送信する。ここでは、例えば、車載装置１のため差分地図情報と「ＩＤ１」とを関連づけて送信する。
【００６１】
次に、ＳＡ１５において車載装置１の制御部１７は、地図情報を更新した後、配信処理を終了する。具体的には、ＳＡ１４において送信された情報を、通信部１１を介して受信して、受信した情報のうちの自己の装置ＩＤが含まれている情報に対応する差分更新情報を取得し、取得した差分更新情報が反映されるように、図１の地図情報ＤＢ１６１における地図情報を更新する。ここでは、例えば、車載装置１のため差分地図情報を取得して更新する。
【００６２】
図３に戻って、ＳＡ３の判定において、差分更新情報を配信しないものと判定して（ＳＡ３のＮＯ）、ＳＡ１６に移行した場合、このＳＡ１６において受信サーバ２の制御部２７における配信部２７２は、図１の通信部２１を介してアクセス制限応答を送信する。ここで、「アクセス制限応答」とは、差分更新情報の配信を行わないことを通知する応答である。ＳＡ１６において具体的には、ＳＡ２で受信した配信要求から、装置ＩＤを取得して、取得した装置ＩＤを含むアクセス制限応答を生成し、生成したアクセス制限応答を送信する。
【００６３】
図３に戻って、ＳＡ１７において車載装置１の制御部１７は、アクセス制限情報を表示した後、配信処理を終了する。ここで、「アクセス制限情報」とは、アクセスを制限が制限されていることを示す情報であり、具体的には、差分更新情報の配信が行われないことを示す情報であり、例えば、テキスト情報、又は画像情報等である。ＳＡ１７について具体的には、ＳＡ１６において送信されたアクセス制限応答を、通信部１１を介して受信して、受信したアクセス制限応答のうち自己の装置ＩＤが含まれているアクセス制限応答を取得して、アクセス制限情報を図１のディスプレイ１３に表示した後、配信処理を終了する。このように構成することにより、図１の受信サーバ２の制御部２７における決定部２７１が、配信要求を受信する毎に、図４のＳＢ１において許容率を決定するので、更新情報配信システム１００の車載装置各々の更新ニーズに応じて、差分更新情報を適切に配信することができる。
【００６４】
（実施の形態１の効果）
このように本実施の形態によれば、通信部２１が配信要求を受信する毎に、通信部２１が受信した配信要求の属性に基づいて、差分更新情報の配信が許容される確率に対応する許容率を決定することから、例えば、更新情報配信システム１００の車載装置における個別の事情を許容率に反映することができ、更新のための負荷を低減させつつ、更新情報配信システム１００の車載装置各々の更新ニーズに応じて適切に差分更新情報を配信することができる。
【００６５】
また、配信要求の属性としての配信要求領域場所特定情報に基づいて、許容率を決定することから、例えば、配信要求領域の場所に基づいて、更新の必要性に対応する許容率を決定することができ、更新のための負荷の低減、及び更新ニーズに沿った差分更新情報の配信を行うことができる。
【００６６】
（実施の形態２）
次に、実施の形態２について説明する。なお、この実施の形態２においては、「自宅場所特定情報」及び「目的地場所特定情報」を用いて許容率を決定する場合について説明する。実施の形態２の構成は、特記する場合を除いて実施の形態１の構成と略同一であり、実施の形態１の構成と略同一の構成についてはこの実施の形態１で用いたのと同一の符号を必要に応じて付して、その説明を省略する。
【００６７】
（構成）
まず、本実施の形態に係る更新情報配信システム１００Ｂについて説明する。図１に示すように、この更新情報配信システム１００Ｂは、車載装置１Ｂ、受信サーバ２Ｂ、差分地図計算サーバ３、地図情報ＤＢサーバ４、及びファイルサーバ５を備えている。
【００６８】
（構成−車載装置）
最初に、車載装置１Ｂの構成について説明する。図１に示すように、車載装置１Ｂは、概略的に、通信部１１、タッチパネル１２、ディスプレイ１３、スピーカ１４、現在位置検出部１５、データ記録部１６、及び制御部１７Ｂを備えている。
【００６９】
（構成−受信サーバ）
次に、受信サーバ２Ｂの構成について説明する。受信サーバ２Ｂは、図１に示すように、概略的に、通信部２１、データ記録部２６Ｂ、及び制御部２７Ｂを備えている。
【００７０】
（構成−受信サーバ−データ記録部）
データ記録部２６Ｂは、許容率特定情報ＤＢ２６１Ｂを備えている。
【００７１】
許容率特定情報ＤＢ２６１Ｂは、許容率特定情報を格納する格納手段である。ここで、許容率特定情報ＤＢ２６１Ｂに格納されている「許容率特定情報」とは、許容率を特定する情報である。図５は、許容率特定情報を例示した図である。この図５に示すように、許容率特定情報は、項目「距離（自宅-目的地）」、及び項目「許容率」と、各項目に対応する情報とを、相互に関連付けて構成されている。ここで、項目「距離（自宅-目的地）」に対応する情報は、自宅と目的地との間の距離の範囲を特定する情報である（図５では、単位がキロメートルであり、「１０未満」、「１０以上〜４０未満」、「４０以上〜８０未満」、「８０以上〜１６０未満」、及び「１６０以上」）。ここで、「自宅と目的地との間の距離」とは、車載装置１Ｂのユーザ自身の家の場所と自車両の移動の目的となる地点との間の距離である。そして、「自宅」及び「目的地」については、実施の形態１において説明したように、例えば、タッチパネル１２を介してユーザの所定操作が受け付けられることで登録される。また、項目「許容率」に対応する情報は、許容率を特定する情報である（図５では、百分率表記であり、「１」、「５」、「１０」、「２０」、「３０」）。
【００７２】
そして、このような許容率特定情報については、例えば、目的地が自宅に近くなるほど、ユーザが実際の地図上の情報を熟知している可能性が高いという観点から、「地図情報の更新のニーズ」を、自宅と目的地との間の距離が短くなる程低くなるように定めた上で、実施の形態１の場合と同様にして記録されるものとして、以下説明する。
【００７３】
（構成−受信サーバ−制御部）
図１に戻って、制御部２７Ｂは、機能概念的に、決定部２７１Ｂ、及び配信部２７２を備えている。決定部２７１Ｂは、通信部２１が配信要求を受信する毎に、当該受信した配信要求の属性に基づいて、差分更新情報の配信が許容される確率に対応する許容率を決定する決定手段である。なお、これら制御部２７Ｂの各部により行われる処理については、後述する。
【００７４】
（処理）
次に、このように構成される更新情報配信システム１００Ｂによって実行される配信処理について説明する。この配信処理については、図３のＳＡ１及び図４のＳＢ１以外については、実施の形態１の配信処理における対応するステップと同様であり、ここでは、実施の形態１の配信処理のステップとは異なっている図３のＳＡ１及び図４のＳＢ１のみについて説明する（後述する実施の形態３〜６についても同様とする）。
【００７５】
まず、図３のＳＡ１において車載装置１Ｂの制御部１７Ｂは、配信要求を生成して送信する。具体的には、通信部１１を介して送信する。更に具体的には、まず、タッチパネル１２を介してユーザの所定操作により登録されている「自宅」及び「目的地」の場所を特定する。次に、自己の装置ＩＤ、バージョン特定情報、配信要求領域場所特定情報に加えて、前述の特定した「自宅」の場所を特定する自宅場所特定情報、及び前述の特定した「目的地」の場所を特定する目的地場所特定情報を含む配信要求を生成し、生成した配信要求を送信する。
【００７６】
次に、ＳＡ２において図４の配信判定処理を起動し、ＳＢ１において受信サーバ２Ｂの制御部２７Ｂにおける決定部２７１Ｂは、許容率を決定する。具体的には、受信した配信要求の属性、及び図５の許容率特定情報に基づいて、許容率を決定する。更に具体的には、受信した配信要求の属性として、当該配信要求の「自宅場所特定情報」及び「目的地場所特定情報」を取得し、取得したこれらの情報に基づいて「自宅と目的地との間の距離」を演算し、許容率特定情報の項目「距離（自宅-目的地）」に対応する情報において、前述の演算した「自宅と目的地との間の距離」を含む情報を特定し、この特定した情報に対応する項目「許容率」に対応する情報を、許容率に決定する。ここでは、例えば、「自宅と目的地との間の距離」＝「２」（キロメートル）を演算した場合、「１」を許容率に決定し、また、例えば、「自宅と目的地との間の距離」＝「１００」（キロメートル）を演算した場合、「２０」を許容率に決定することになる。
【００７７】
（実施の形態２の効果）
このように本実施の形態によれば、配信要求の属性としての自宅場所特定情報及び目的地場所特定情報に基づいて、許容率を決定することから、例えば、自宅の場所及び目的地の場所に基づいて、更新の必要性に対応する許容率を決定することができ、更新のための負荷の低減、及び更新ニーズに沿った差分更新情報の配信を行うことができる。
【００７８】
（実施の形態３）
次に、実施の形態３について説明する。なお、この実施の形態３においては、「自宅場所特定情報」及び「配信要求領域場所特定情報」を用いて許容率を決定する場合について説明する。実施の形態３の構成は、特記する場合を除いて実施の形態１の構成と略同一であり、実施の形態１の構成と略同一の構成についてはこの実施の形態１で用いたのと同一の符号を必要に応じて付して、その説明を省略する。
【００７９】
（構成）
まず、本実施の形態に係る更新情報配信システム１００Ｃについて説明する。図１に示すように、この更新情報配信システム１００Ｃは、車載装置１Ｃ、受信サーバ２Ｃ、差分地図計算サーバ３、地図情報ＤＢサーバ４、及びファイルサーバ５を備えている。
【００８０】
（構成−車載装置）
最初に、車載装置１Ｃの構成について説明する。図１に示すように、車載装置１Ｃは、概略的に、通信部１１、タッチパネル１２、ディスプレイ１３、スピーカ１４、現在位置検出部１５、データ記録部１６、及び制御部１７Ｃを備えている。
【００８１】
（構成−受信サーバ）
次に、受信サーバ２Ｃの構成について説明する。受信サーバ２Ｃは、図１に示すように、概略的に、通信部２１、データ記録部２６Ｃ、及び制御部２７Ｃを備えている。
【００８２】
（構成−受信サーバ−データ記録部）
データ記録部２６Ｃは、許容率特定情報ＤＢ２６１Ｃを備えている。
【００８３】
許容率特定情報ＤＢ２６１Ｃは、許容率特定情報を格納する格納手段である。ここで、許容率特定情報ＤＢ２６１Ｃに格納されている「許容率特定情報」とは、許容率を特定する情報である。図６は、許容率特定情報を例示した図である。この図６に示すように、許容率特定情報は、項目「距離（自宅-配信場所）」、及び項目「許容率」と、各項目に対応する情報とを、相互に関連付けて構成されている。ここで、項目「距離（自宅-配信場所）」に対応する情報は、自宅と配信場所との間の距離の範囲を特定する情報である（図６では、単位がキロメートルであり、「１０未満」、「１０以上〜４０未満」、「４０以上〜８０未満」、「８０以上〜１６０未満」、及び「１６０以上」）。なお、「自宅」及び「配信場所」については、実施の形態１において説明したように、例えば、タッチパネル１２を介してユーザの所定操作が受け付けられることで登録される。また、項目「許容率」に対応する情報は、許容率を特定する情報である（図６では、百分率表記であり、「１」、「１」、「１０」、「２０」、「３０」）。
【００８４】
そして、このような許容率特定情報については、例えば、配信場所が自宅に近くなる程、ユーザが実際の地図上の情報を熟知している可能性が高いという観点から、「地図情報の更新のニーズ」を、自宅と配信場所との間の距離が短くなる程低くなるように定めた上で、実施の形態１の場合と同様にして記録されるものとして、以下説明する。
【００８５】
（構成−受信サーバ−制御部）
図１に戻って、制御部２７Ｃは、機能概念的に、決定部２７１Ｃ、及び配信部２７２を備えている。決定部２７１Ｃは、通信部２１が配信要求を受信する毎に、当該受信した配信要求の属性に基づいて、差分更新情報の配信が許容される確率に対応する許容率を決定する決定手段である。なお、これら制御部２７Ｃの各部により行われる処理については、後述する。
【００８６】
（処理）
次に、このように構成される更新情報配信システム１００Ｃによって実行される配信処理について説明する。
【００８７】
まず、図３のＳＡ１において車載装置１Ｃの制御部１７Ｃは、配信要求を生成して送信する。具体的には、通信部１１を介して送信する。更に具体的には、まず、タッチパネル１２を介してユーザの所定操作により登録されている「自宅」の場所及び「配信場所」を特定する。次に、自己の装置ＩＤ、バージョン特定情報に加えて、前述の特定した「自宅」の場所を特定する自宅場所特定情報、及び前述の特定した「配信場所」を含む配信要求領域場所特定情報を含む配信要求を生成し、生成した配信要求を送信する。
【００８８】
次に、ＳＡ２において図４の配信判定処理を起動し、ＳＢ１において受信サーバ２Ｃの制御部２７Ｃにおける決定部２７１Ｃは、許容率を決定する。具体的には、受信した配信要求の属性、及び図６の許容率特定情報に基づいて、許容率を決定する。更に具体的には、受信した配信要求の属性として、当該配信要求の「自宅場所特定情報」及び「配信要求領域場所特定情報」を取得し、取得したこれらの情報に基づいて「自宅と配信場所との間の距離」を演算し、許容率特定情報の項目「距離（自宅-配信場所）」に対応する情報において、前述の演算した「自宅と配信場所との間の距離」を含む情報を特定し、この特定した情報に対応する項目「許容率」に対応する情報を、許容率に決定する。
【００８９】
（実施の形態３の効果）
このように本実施の形態によれば、配信要求の属性としての配信要求領域場所特定情報及び自宅場所特定情報に基づいて、許容率を決定することから、例えば、配信要求領域の場所及び自宅の場所に基づいて、更新の必要性に対応する許容率を決定することができ、更新のための負荷の低減、及び更新ニーズに沿った差分更新情報の配信を行うことができる。
【００９０】
（実施の形態４）
次に、実施の形態４について説明する。なお、この実施の形態４においては、「目的地場所特定情報」及び「配信要求領域場所特定情報」を用いて許容率を決定する場合について説明する。実施の形態４の構成は、特記する場合を除いて実施の形態１の構成と略同一であり、実施の形態１の構成と略同一の構成についてはこの実施の形態１で用いたのと同一の符号を必要に応じて付して、その説明を省略する。
【００９１】
（構成）
まず、本実施の形態に係る更新情報配信システム１００Ｄについて説明する。図１に示すように、この更新情報配信システム１００Ｄは、車載装置１Ｄ、受信サーバ２Ｄ、差分地図計算サーバ３、地図情報ＤＢサーバ４、及びファイルサーバ５を備えている。
【００９２】
（構成−車載装置）
最初に、車載装置１Ｄの構成について説明する。図１に示すように、車載装置１Ｄは、概略的に、通信部１１、タッチパネル１２、ディスプレイ１３、スピーカ１４、現在位置検出部１５、データ記録部１６、及び制御部１７Ｄを備えている。
【００９３】
（構成−受信サーバ）
次に、受信サーバ２Ｄの構成について説明する。受信サーバ２Ｄは、図１に示すように、概略的に、通信部２１、データ記録部２６Ｄ、及び制御部２７Ｄを備えている。
【００９４】
（構成−受信サーバ−データ記録部）
データ記録部２６Ｄは、許容率特定情報ＤＢ２６１Ｄを備えている。
【００９５】
許容率特定情報ＤＢ２６１Ｄは、許容率特定情報を格納する格納手段である。ここで、許容率特定情報ＤＢ２６１Ｄに格納されている「許容率特定情報」とは、許容率を特定する情報である。図７は、許容率特定情報を例示した図である。この図７に示すように、許容率特定情報は、項目「距離（目的地-配信場所）」、及び項目「許容率」と、各項目に対応する情報とを、相互に関連付けて構成されている。ここで、項目「距離（目的地-配信場所）」に対応する情報は、目的地と配信場所との間の距離の範囲を特定する情報である（図７では、単位がキロメートルであり、「１０未満」、「１０以上〜４０未満」、「４０以上〜８０未満」、「８０以上〜１６０未満」、及び「１６０以上」）。なお、「目的地」及び「配信場所」については、実施の形態１において説明したように、例えば、タッチパネル１２を介してユーザの所定操作が受け付けられることで登録される。また、項目「許容率」に対応する情報は、許容率を特定する情報である（図７では、百分率表記であり、「１」、「５」、「１０」、「２０」、「３０」）。
【００９６】
そして、このような許容率特定情報については、例えば、配信場所が目的地に近くなる程、ユーザが実際の地図上の情報を熟知している可能性が高いという観点から、「地図情報の更新のニーズ」を、目的地と配信場所との間の距離が短くなる程低くなるように定めた上で、実施の形態１の場合と同様にして記録されるものとして、以下説明する。
【００９７】
（構成−受信サーバ−制御部）
図１に戻って、制御部２７Ｄは、機能概念的に、決定部２７１Ｄ、及び配信部２７２を備えている。決定部２７１Ｄは、通信部２１が配信要求を受信する毎に、当該受信した配信要求の属性に基づいて、差分更新情報の配信が許容される確率に対応する許容率を決定する決定手段である。なお、これら制御部２７Ｄの各部により行われる処理については、後述する。
【００９８】
（処理）
次に、このように構成される更新情報配信システム１００Ｄによって実行される配信処理について説明する。
【００９９】
まず、図３のＳＡ１において車載装置１Ｄの制御部１７Ｄは、配信要求を生成して送信する。具体的には、通信部１１を介して送信する。更に具体的には、まず、タッチパネル１２を介してユーザの所定操作により登録されている「目的地」の場所及び「配信場所」を特定する。次に、自己の装置ＩＤ、バージョン特定情報に加えて、前述の特定した「目的地」の場所を特定する目的地場所特定情報、及び前述の特定した「配信場所」を含む配信要求領域場所特定情報を含む配信要求を生成し、生成した配信要求を送信する。
【０１００】
次に、ＳＡ２において図４の配信判定処理を起動し、ＳＢ１において受信サーバ２Ｄの制御部２７Ｄにおける決定部２７１Ｄは、許容率を決定する。具体的には、受信した配信要求の属性、及び図７の許容率特定情報に基づいて、許容率を決定する。更に具体的には、受信した配信要求の属性として、当該配信要求の「目的地場所特定情報」及び「配信要求領域場所特定情報」を取得し、取得したこれらの情報に基づいて「目的地と配信場所との間の距離」を演算し、許容率特定情報の項目「距離（目的地-配信場所）」に対応する情報において、前述の演算した「目的地と配信場所との間の距離」を含む情報を特定し、この特定した情報に対応する項目「許容率」に対応する情報を、許容率に決定する。
【０１０１】
（実施の形態４の効果）
このように本実施の形態によれば、配信要求の属性としての配信要求領域場所特定情報及び目的地場所特定情報に基づいて、許容率を決定することから、例えば、配信要求領域の場所及び目的地の場所に基づいて、更新の必要性に対応する許容率を決定することができ、更新のための負荷の低減、及び更新ニーズに沿った差分更新情報の配信を行うことができる。
【０１０２】
（実施の形態５）
次に、実施の形態５について説明する。なお、この実施の形態５においては、「中間点場所特定情報」及び「配信要求領域場所特定情報」を用いて許容率を決定する場合について説明する。実施の形態５の構成は、特記する場合を除いて実施の形態１の構成と略同一であり、実施の形態１の構成と略同一の構成についてはこの実施の形態１で用いたのと同一の符号を必要に応じて付して、その説明を省略する。
【０１０３】
（構成）
まず、本実施の形態に係る更新情報配信システム１００Ｅについて説明する。図１に示すように、この更新情報配信システム１００Ｅは、車載装置１Ｅ、受信サーバ２Ｅ、差分地図計算サーバ３、地図情報ＤＢサーバ４、及びファイルサーバ５を備えている。
【０１０４】
（構成−車載装置）
最初に、車載装置１Ｅの構成について説明する。図１に示すように、車載装置１Ｅは、概略的に、通信部１１、タッチパネル１２、ディスプレイ１３、スピーカ１４、現在位置検出部１５、データ記録部１６、及び制御部１７Ｅを備えている。
【０１０５】
（構成−受信サーバ）
次に、受信サーバ２Ｅの構成について説明する。受信サーバ２Ｅは、図１に示すように、概略的に、通信部２１、データ記録部２６Ｅ、及び制御部２７Ｅを備えている。
【０１０６】
（構成−受信サーバ−データ記録部）
データ記録部２６Ｅは、許容率特定情報ＤＢ２６１Ｅを備えている。
【０１０７】
許容率特定情報ＤＢ２６１Ｅは、許容率特定情報を格納する格納手段である。ここで、許容率特定情報ＤＢ２６１Ｅに格納されている「許容率特定情報」とは、許容率を特定する情報である。図８は、許容率特定情報を例示した図である。この図８に示すように、許容率特定情報は、項目「距離（中間点-配信場所）」、及び項目「許容率」と、各項目に対応する情報とを、相互に関連付けて構成されている。ここで、項目「距離（中間点-配信場所）」に対応する情報は、中間点と配信場所との間の距離の範囲を特定する情報である（図８では、単位がキロメートルであり、「１０未満」、「１０以上〜４０未満」、「４０以上〜８０未満」、「８０以上〜１６０未満」、及び「１６０以上」）。ここで、「中間点」とは、中間の地点であり、「出発地」と「目的地」との間の地点であり、任意に定義することができるが、ここでは、例えば、「出発地」から「目的地」に至る走行ルート上に所定距離毎（例えば、５キロメートル毎）に設定されている地点であるものと定義して、以下説明する。なお、「出発地」とは、車両が移動を開始する地点であり、例えば、タッチパネル１２を介してユーザの所定操作が受け付けられることで設定されたり、図１の現在位置検出部１５によって検出された現在位置が設定されたりする。また、「走行ルート」とは、自車両が走行するべきルートであり、例えば、制御部１７Ｅによって生成されて設定されるルートである。
【０１０８】
そして、このような許容率特定情報については、例えば、配信場所が中間点に近くなる程（つまり、中間点と配信場所との間の距離が短くなる程）、更新する領域が、ユーザが通過する領域に対応している可能性が高いという観点から、「地図情報の更新のニーズ」を、中間点と配信場所との間の距離が短くなる程高くなるように定めた上で、実施の形態１の場合と同様にして記録されるものとして、以下説明する。
【０１０９】
（構成−受信サーバ−制御部）
図１に戻って、制御部２７Ｅは、機能概念的に、決定部２７１Ｅ、及び配信部２７２を備えている。決定部２７１Ｅは、通信部２１が配信要求を受信する毎に、当該受信した配信要求の属性に基づいて、差分更新情報の配信が許容される確率に対応する許容率を決定する決定手段である。なお、これら制御部２７Ｅの各部により行われる処理については、後述する。
【０１１０】
（処理）
次に、このように構成される更新情報配信システム１００Ｅによって実行される配信処理について説明する。
【０１１１】
まず、図３のＳＡ１において車載装置１Ｅの制御部１７Ｅは、配信要求を生成して送信する。具体的には、通信部１１を介して送信する。更に具体的には、まず、タッチパネル１２を介してユーザの所定操作により設定されている「出発地」から「目的地」に至る走行ルートを生成して、生成した走行ルート上の中間点の場所（例えば、経度及び緯度の座標）を特定する。次に、タッチパネル１２を介してユーザの所定操作により登録されている「配信場所」を特定する。次に、自己の装置ＩＤ、バージョン特定情報に加えて、前述の特定した「中間点」の場所を特定する中間点場所特定情報、及び前述の特定した「配信場所」を含む配信要求領域場所特定情報を含む配信要求を生成し、生成した配信要求を送信する。
【０１１２】
次に、ＳＡ２において図４の配信判定処理を起動し、ＳＢ１において受信サーバ２Ｅの制御部２７Ｅにおける決定部２７１Ｅは、許容率を決定する。具体的には、受信した配信要求の属性、及び図８の許容率特定情報に基づいて、許容率を決定する。更に具体的には、受信した配信要求の属性として、当該配信要求の「中間点場所特定情報」及び「配信要求領域場所特定情報」を取得し、取得したこれらの情報に基づいて「中間点と配信場所との間の距離」を演算し、許容率特定情報の項目「距離（中間点-配信場所）」に対応する情報において、前述の演算した「中間点と配信場所との間の距離」を含む情報を特定し、この特定した情報に対応する項目「許容率」に対応する情報を、許容率に決定する。
【０１１３】
（実施の形態５の効果）
このように本実施の形態によれば、配信要求の属性としての配信要求領域場所特定情報及び中間点場所特定情報に基づいて、許容率を決定することから、例えば、配信要求領域の場所及び中間点の場所に基づいて、更新の必要性に対応する許容率を決定することができ、更新のための負荷の低減、及び更新ニーズに沿った差分更新情報の配信を行うことができる。
【０１１４】
（実施の形態６）
次に、実施の形態６について説明する。なお、この実施の形態６においては、「配信要求領域場所特定情報」、「曜日特定情報」、及び「時間特定情報」を用いて許容率を決定する場合について説明する。実施の形態６の構成は、特記する場合を除いて実施の形態１の構成と略同一であり、実施の形態１の構成と略同一の構成についてはこの実施の形態１で用いたのと同一の符号を必要に応じて付して、その説明を省略する。
【０１１５】
（構成）
まず、本実施の形態に係る更新情報配信システム１００Ｆについて説明する。図１に示すように、この更新情報配信システム１００Ｆは、車載装置１Ｆ、受信サーバ２Ｆ、差分地図計算サーバ３、地図情報ＤＢサーバ４、及びファイルサーバ５を備えている。
【０１１６】
（構成−車載装置）
最初に、車載装置１Ｆの構成について説明する。図１に示すように、車載装置１Ｆは、概略的に、通信部１１、タッチパネル１２、ディスプレイ１３、スピーカ１４、現在位置検出部１５、データ記録部１６、及び制御部１７Ｆを備えている。
【０１１７】
（構成−受信サーバ）
次に、受信サーバ２Ｆの構成について説明する。受信サーバ２Ｆは、図１に示すように、概略的に、通信部２１、データ記録部２６Ｆ、及び制御部２７Ｆを備えている。
【０１１８】
（構成−受信サーバ−データ記録部）
データ記録部２６Ｆは、許容率特定情報ＤＢ２６１Ｆを備えている。
【０１１９】
許容率特定情報ＤＢ２６１Ｆは、許容率特定情報を格納する格納手段である。ここで、許容率特定情報ＤＢ２６１Ｆに格納されている「許容率特定情報」とは、許容率を特定する情報である。図９は、許容率特定情報を例示した図である。この図９に示すように、許容率特定情報は、項目「配信領域」、及び項目「許容率」と、各項目に対応する情報とを、相互に関連付けて構成されている。ここで、項目「配信領域」に対応する情報は、配信領域に含まれている目印の地点を特定する情報である（図９では、「自宅」、「目的地」、「会社」、「定期的に行く場所」）。なお、「会社」とは、車載装置１Ｆのユーザが通勤する会社であり、例えば、「自宅」及び「目的地」と同様にして、タッチパネル１２を介してユーザの所定操作が受け付けられることで登録される。また、「定期的に行く場所」とは、車載装置１Ｆのユーザが定期的に行く場所であり、任意の手法を用いて定義することができるが、ここでは、例えば、過去に「目的地」として登録した実績に基づいて、曜日及び時間帯と関連付けて定義するものとして、以下説明する。「定期的に行く場所」の定義について具体的には、過去の所定期間（例えば、１年間等）に「目的地」として設定した地点を、曜日及び時間帯毎（例えば、「土曜日の午前中」、「日曜日の午後」等）に取得して、取得した各曜日及び時間帯に目的地として設定された地点について、目的地として設定された頻度を集計し、集計した頻度が所定回数（例えば、２０回等）以上の地点を、各曜日及び時間帯における「定期的に行く場所」と定義するものとする。つまり、例えば、「土曜日の午前中」に「フィットネスジム」に行く頻度として「３０」回を集計し「デパート」に行く頻度として「１０」回を集計した場合、「土曜日の午前中」の「定期的に行く場所」＝「フィットネスジム」と定義するものとする。また、項目「許容率」に対応する情報は、許容率を特定する情報である（図９では、百分率表記であり、「１０」、「３０」、「５」）。
【０１２０】
そして、このような許容率特定情報については、例えば、「自宅」については、ユーザが実際の地図上の情報を熟知している可能性が高く、また、「定期的に行く場所」及び「会社」については、ユーザが実際の地図上の情報を熟知している可能性が更に高いが、「目的地」については、ユーザが実際の地図上の情報に精通していない可能性が高いという観点から、「地図情報の更新のニーズ」を「目的地」、「自宅」、「会社」（及び、「定期的に行く場所」（なお、「会社」及び「定期的に行く場所」は同じ））の順に低くなるように定めた上で、実施の形態１の場合と同様にして記録されるものとして、以下説明する。
【０１２１】
（構成−受信サーバ−制御部）
図１に戻って、制御部２７Ｆは、機能概念的に、決定部２７１Ｆ、及び配信部２７２を備えている。決定部２７１Ｆは、通信部２１が配信要求を受信する毎に、当該受信した配信要求の属性に基づいて、差分更新情報の配信が許容される確率に対応する許容率を決定する決定手段である。なお、これら制御部２７Ｆの各部により行われる処理については、後述する。
【０１２２】
（処理）
次に、このように構成される更新情報配信システム１００Ｆによって実行される配信処理について説明する。
【０１２３】
まず、図３のＳＡ１において車載装置１Ｆの制御部１７Ｆは、配信要求を生成して送信する。具体的には、配信領域に含まれている目印の地点（以下、目印地点）を特定し、当該地点を示す情報であり、配信要求の特徴又は性質に対応する「目印地点情報」を含む配信要求を、通信部１１を介して送信する。更に具体的には、まず、車載装置１Ｆの不図示の（時間及び曜日と特定する機能を有している）タイマーの如き計時手段を用いて、現在の曜日及び時間帯（つまり、配信要求が行われる曜日及び時間）を特定し、タッチパネル１２を介してユーザの所定操作により登録されている「配信領域」に、特定した曜日及び時間帯の「定期的に行く場所」が含まれているか否かを判定し、「定期的に行く場所」が含まれているものと判定した場合、「目印地点」＝「定期的に行く場所」を特定し（つまり、曜日特定情報及び時間特定情報に基づいて「定期的に行く場所」を特定し）、一方、「定期的に行く場所」が含まれていないものと判定した場合、「配信領域」に「会社」、「自宅」又は「目的地」が含まれているか否かを判定し、「目印地点」を特定する。なお、「会社」、「自宅」又は「目的地」の複数が「目印地点」として特定された場合、「会社」、「自宅」、「目的地」に優先度を設定して、設定した優先度に従って１つのみの地点を「目印地点」として特定するものとする。また、「会社」、「自宅」及び「目的地」のいずれも「目印地点」として特定されなかった場合、「目印地点」＝「無し」を特定するものとする。次に、自己の装置ＩＤ、バージョン特定情報、配信要求領域場所特定情報に加えて、「目印地点情報」＝「前述の特定した目印地点」である目印地点情報を含む配信要求を生成し、生成した配信要求を送信する。
【０１２４】
次に、ＳＡ２において図４の配信判定処理を起動し、ＳＢ１において受信サーバ２Ｆの制御部２７Ｆにおける決定部２７１Ｆは、許容率を決定する。具体的には、受信した配信要求の属性、及び図９の許容率特定情報に基づいて、許容率を決定する。更に具体的には、受信した配信要求の属性として、当該配信要求の「目印地点情報」を取得し、許容率特定情報の項目「許容率」に対応する情報において、前述の取得した「目印地点情報」に対応する情報を特定し、特定した情報を許容率に決定する。ここでは、例えば、「目印地点情報」＝「自宅」を取得した場合、「１０」を許容率に決定し、「目印地点情報」＝「目的地」を取得した場合、「３０」を許容率に決定し、「目印地点情報」＝「会社」を取得した場合、「５」を許容率に決定し、「目印地点情報」＝「定期的に行く場所」を取得した場合、「５」を許容率に決定する。なお、「目印地点情報」＝「なし」を取得した場合、予め定められている許容率（例えば、極めて小さい値である「１」等）を決定してもよい。
【０１２５】
（実施の形態６の効果）
このように本実施の形態によれば、配信要求の属性としての配信要求領域場所特定情報、曜日特定情報、及び時間特定情報に基づいて、許容率を決定することから、例えば、配信要求領域の場所、配信要求領域が行われた曜日及び時間に基づいて、更新の必要性に対応する許容率を決定することができ、更新のための負荷の低減、及び更新ニーズに沿った差分更新情報の配信を行うことができる。
【０１２６】
〔実施の形態に対する変形例〕
以上、本発明に係る各実施の形態について説明したが、本発明の具体的な構成及び手段は、特許請求の範囲に記載した本発明の技術的思想の範囲内において、任意に改変及び改良することができる。以下、このような変形例について説明する。
【０１２７】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、本発明に係る更新情報配信システムを用いて行われる更新ニーズに応じた配信の適切さが従来と同程度であっても、従来と異なる構造により従来と同程度の適切な配信が行われる場合には、本願発明の課題は解決されている。
【０１２８】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。例えば、車載装置の一部の機能を受信サーバに設けたり、受信サーバの一部の機能を車載装置に設けたりしてもよい。また、受信サーバを、相互に通信可能に構成された複数の装置に分散して構成し、これら複数の装置の一部に決定部又は配信部の一方を設けると共に、これら複数の装置の他の一部に決定部又は配信部の他方を設けてもよい。また、例えば、各実施の形態の受信サーバ、差分地図計算サーバ、地図情報ＤＢサーバ、又はファイルサーバの機能を統合してもよい。
【０１２９】
（形状、数値、構造、時系列について）
各実施の形態や図面において例示した構成要素に関して、形状、数値、又は複数の構成要素の構造若しくは時系列の相互関係については、本発明の技術的思想の範囲内において、任意に改変及び改良することができる。
【０１３０】
（許容率特定情報について）
また、上記各実施の形態では、各実施の形態の許容率特定情報ＤＢの許容率特定情報について、ユーザが図１の受信サーバ２における不図示の入力手段を介して入力することにより記録される場合について説明したが、これに限られない。例えば、受信サーバが、更新情報配信システムの処理能力の範囲において、地図情報の更新のニーズに応じた優先度に従って、所定時間毎（例えば、２４時間毎等）に許容率特定情報の「許容率」演算し、演算結果に基づいて許容率特定情報を更新してもよい。
【０１３１】
（許容率の決定について）
また、上記実施の形態２では、「自宅場所特定情報」及び「目的地場所特定情報」を用いて許容率を決定する場合について説明したが、これに限られない。例えば、「自宅場所特定情報」の代わりに「現在地場所特定情報」を用いて許容率を決定してもよい。この場合、図５の許容率特定情報において、項目「距離（自宅-目的地）」の代わりに、項目「距離（現在地-目的地）」を設けて、この項目「距離（現在地-目的地）」に対応する情報として、車載装置１の現在地と目的地との間の距離の範囲を特定する情報を記録する。そして、図３のＳＡ１において、図１の車載装置１Ｂの制御部１７Ｂが、現在位置検出部１５の検出結果（例えば、経度及び緯度の座標等）取得し、取得した検出結果である現在地を特定する「現在地場所特定情報」を、実施の形態２の「目的地場所特定情報」の代わりに含む配信要求を生成して送信するように構成し、図４のＳＢ１において受信サーバ２Ｂの制御部２７Ｂにおける決定部２７１Ｂが、受信した配信要求に含まれている「現在地場所特定情報」及び、前述の項目「距離（現在地-目的地」に対応する情報を含む許容率決定情報に基づいて、許容率を決定するように構成する。
【０１３２】
また、上記各実施の形態及び変形例における、許容率特定情報を任意に組み合わせた上で、各実施の形態及び変形例における、許容率を決定するための手法を任意に組み合わせて許容率を決定してよい。具体的には、配信要求領域場所特定情報、自宅場所特定情報、現在地場所特定情報、目的地場所特定情報、又は中間点場所特定情報のうちの少なくとも１つの情報に基づいて、許容率を決定してもよいし、当該少なくとも１つの情報と、曜日特定情報又は時間特定情報と、に基づいて許容率を決定してもよい。「当該少なくとも１つの情報と、曜日特定情報又は時間特定情報と、に基づいて許容率を決定」する場合について例えば、各実施の形態及び変形例の許容率特定情報の許容率を、受信サーバが配信要求を受信した曜日又は時間毎に記録した上で、配信要求を受信した曜日又は時間も考慮して、許容率を決定するように構成してもよい。
【０１３３】
また、上記各実施の形態における、受信サーバに格納されている許容率特定情報については、更新情報配信システムの複数の車載装置各々に関して個別的に用いられるように構成してもよいし、複数の車載装置に関して共通して用いられるように構成してもよい。
【０１３４】
（中間点について）
また、上記実施の形態５では、中間点を、「出発地」から「目的地」に至る走行ルート上において所定距離毎（例えば、５キロメートル毎）に設定されている地点であるものと定義した上で処理する場合について説明したが、これに限られない。例えば、中間点の場所を特定するための負荷を軽減する観点から、中間点を、走行ルートに関係なく、単に「出発地」と「目的地」とを直線又は曲線で結び、当該結んだ直線又は曲線上の所定距離毎の地点であるものと定義した上で処理してもよい。また、「出発地」と「自宅」に読み替えて定義してもよい。
【０１３５】
（目印地点情報について）
また、上記実施の形態６では、目印地点情報を、車載装置１Ｆが配信要求の一部の情報として受信サーバ２Ｆに送信する場合について説明したが、これに限られない。例えば、目印地点情報を決定するために必要な情報を受信サーバ２Ｆが格納しており、受信サーバ２Ｆが、目印地点情報を決定してもよい。
【０１３６】
（配信判定処理について）
また、上記各実施の形態における、図４の配信判定処理のＳＢ２〜ＳＢ６の代わりに、ＳＢ１で決定した許容率に対応する確率で「差分更新情報を配信するもの」と判定するような、公知の判定手法を含む任意の判定手法を用いてもよい。
【０１３７】
〔実施の形態の特徴と効果の一部〕
最後に、これまでに説明した各実施の形態の特徴と効果の一部を、以下に例示する。ただし、各実施の形態の特徴と効果は、以下の内容に限定されず、以下の特徴の一部のみを具備することによって以下の効果の一部のみを奏する場合や、以下の特徴以外の他の特徴を具備することによって以下の効果以外の他の効果を奏する場合がある。
【０１３８】
実施の形態の１つの側面１に係る更新情報配信システムは、地図を表示するための地図情報を有する地図表示端末からの配信要求に応じて、前記地図情報を更新するための更新情報を配信する更新情報配信システムであって、前記配信要求を受信する受信手段と、前記受信手段が前記配信要求を受信する毎に、当該受信した配信要求の属性に基づいて、前記更新情報の配信が許容される確率に対応する許容率を決定する決定手段と、前記決定手段が決定する前記許容率に基づいて、前記更新情報を配信する配信手段とを備える。
【０１３９】
上記側面１に係る更新情報配信システムによれば、受信手段が配信要求を受信する毎に、受信手段が受信した配信要求の属性に基づいて、更新情報の配信が許容される確率に対応する許容率を決定することから、例えば、各地図表示端末における個別の事情を許容率に反映することができ、更新のための負荷を低減させつつ、各地図表示端末の更新ニーズに応じて適切に更新情報を配信することができる。
【０１４０】
実施の形態の他の側面２に係る更新情報配信システムは、上記側面１に係る更新情報配信システムにおいて、前記配信要求の属性は、前記地図情報における配信を要求する領域である配信要求領域の場所を特定する配信要求領域場所特定情報、前記地図表示端末におけるユーザの自宅の場所を特定する自宅場所特定情報、前記地図表示端末の現在地の場所を特定する現在地場所特定情報、前記地図表示端末の目的地の場所を特定する目的地場所特定情報、又は、前記自宅の場所及び前記目的地の場所の中間点の場所を特定する中間点場所特定情報のうちの、少なくとも１つの特定情報を、含み、前記決定手段は、前記少なくとも１つの特定情報に基づいて、前記許容率を決定する。
【０１４１】
上記側面２に係る更新情報配信システムによれば、地図情報における配信を要求する領域である配信要求領域の場所を特定する配信要求領域場所特定情報、地図表示端末におけるユーザの自宅の場所を特定する自宅場所特定情報、地図表示端末の現在地の場所を特定する現在地場所特定情報、地図表示端末の目的地の場所を特定する目的地場所特定情報、又は、自宅の場所及び目的地の中間点の場所を特定する中間点場所特定情報のうちの、少なくとも１つの特定情報に基づいて、許容率を決定することから、例えば、配信要求領域の場所、地図表示端末におけるユーザの自宅の場所、地図表示端末の現在地の場所、目的地の場所、又は、中間点の場所に基づいて、更新の必要性に対応する許容率を決定することができ、更新のための負荷の低減、及び更新ニーズに沿った更新情報の配信を行うことができる。
【０１４２】
実施の形態の他の側面３に係る更新情報配信システムは、上記側面２に係る更新情報配信システムにおいて、前記配信要求の属性は、前記配信要求が行われた曜日を特定する曜日特定情報、又は、前記配信要求が行われた時間を特定する時間特定情報のうちの、少なくとも１つの特定情報を、更に含み、前記決定手段は、前記曜日特定情報又は前記時間特定情報に更に基づいて、前記許容率を決定する。
【０１４３】
上記側面３に係る更新情報配信システムによれば、配信要求が行われた曜日を特定する曜日特定情報、又は、配信要求が行われた時間を特定する時間特定情報に基づいて、許容率を決定することから、例えば、曜日又は時間に基づく地図表示端末のユーザの行動パターンに応じて許容率を決定することができ、当該ユーザの行動パターンを考慮して、更新ニーズに応じて適切に更新情報を配信することができる。
【０１４４】
実施の形態の他の側面４に係る更新情報配信方法は、地図を表示するための地図情報を有する地図表示端末からの配信要求に応じて、前記地図情報を更新するための更新情報を配信する更新情報配信方法であって、受信手段が、前記配信要求を受信する受信ステップと、決定手段が、前記受信手段が前記配信要求を受信する毎に、当該受信した配信要求の属性に基づいて、前記更新情報の配信が許容される確率に対応する許容率を決定する決定ステップと、配信手段が、前記決定ステップが決定する前記許容率に基づいて、前記更新情報を配信する配信ステップとを含む。
【０１４５】
上記側面４に係る更新情報配信方法によれば、受信手段が配信要求を受信する毎に、受信手段が受信した配信要求の属性に基づいて、更新情報の配信が許容される確率に対応する許容率を決定することから、例えば、各地図表示端末における個別の事情を許容率に反映することができ、更新のための負荷を低減させつつ、各地図表示端末の更新ニーズに応じて適切に更新情報を配信することができる。
【０１４６】
実施の形態の他の側面５に係る更新情報配信プログラムは、地図を表示するための地図情報を有する地図表示端末からの配信要求に応じて、前記地図情報を更新するための更新情報を配信する更新情報配信プログラムであって、コンピュータを、前記配信要求を受信する受信手段と、前記受信手段が前記配信要求を受信する毎に、当該受信した配信要求の属性に基づいて、前記更新情報の配信が許容される確率に対応する許容率を決定する決定手段と、前記決定手段が決定する前記許容率に基づいて、前記更新情報を配信する配信手段と、として機能させる。
【０１４７】
上記側面５に係る更新情報配信プログラムによれば、受信手段が配信要求を受信する毎に、受信手段が受信した配信要求の属性に基づいて、更新情報の配信が許容される確率に対応する許容率を決定することから、例えば、各地図表示端末における個別の事情を許容率に反映することができ、更新のための負荷を低減させつつ、各地図表示端末の更新ニーズに応じて適切に更新情報を配信することができる。
【符号の説明】
【０１４８】
１  車載装置
１Ｂ  車載装置
１Ｃ  車載装置
１Ｄ  車載装置
１Ｅ  車載装置
１Ｆ  車載装置
２  受信サーバ
２Ｂ  受信サーバ
２Ｃ  受信サーバ
２Ｄ  受信サーバ
２Ｅ  受信サーバ
２Ｆ  受信サーバ
３  差分地図計算サーバ
４  地図情報ＤＢサーバ
５  ファイルサーバ
１１  通信部
１２  タッチパネル
１３  ディスプレイ
１４  スピーカ
１５  現在位置検出部
１６  データ記録部
１７  制御部
１７Ｂ  制御部
１７Ｃ  制御部
１７Ｄ  制御部
１７Ｅ  制御部
１７Ｆ  制御部
２１  通信部
２６  データ記録部
２６Ｂ  データ記録部
２６Ｃ  データ記録部
２６Ｄ  データ記録部
２６Ｅ  データ記録部
２６Ｆ  データ記録部
２７  制御部
２７Ｂ  制御部
２７Ｃ  制御部
２７Ｄ  制御部
２７Ｅ  制御部
２７Ｆ  制御部
１００  更新情報配信システム
１００Ｂ  更新情報配信システム
１００Ｃ  更新情報配信システム
１００Ｄ  更新情報配信システム
１００Ｅ  更新情報配信システム
１００Ｆ  更新情報配信システム
１６１  地図情報ＤＢ
２６１  許容率特定情報ＤＢ
２６１Ｂ  許容率特定情報ＤＢ
２６１Ｃ  許容率特定情報ＤＢ
２６１Ｄ  許容率特定情報ＤＢ
２６１Ｅ  許容率特定情報ＤＢ
２６１Ｆ  許容率特定情報ＤＢ
２７１  決定部
２７１Ｂ  決定部
２７１Ｃ  決定部
２７１Ｄ  決定部
２７１Ｅ  決定部
２７１Ｆ  決定部
２７２  配信部
【図１】
0006551127.tif 000002
【図２】
0006551127.tif 000003
【図３】
0006551127.tif 000004
【図４】
0006551127.tif 000005
【図５】
0006551127.tif 000006
【図６】
0006551127.tif 000007
【図７】
0006551127.tif 000008
【図８】
0006551127.tif 000009
【図９】
0006551127.tif 000010